(57)【要約】【課題】液体を充填する収納体により河川のない場所でも使用でき、液体を充填した状態でも収納体が運搬可能となる。また、液体の加圧手段として、一般的に存在する動力源である自動車を用いることによって、液体放出のための特殊な施設や装備、場所を必要とせず、任意の場所で使用可能とする。また、簡単な操作で、自動車の動力や重量を利用して大きな圧力を生じさせることができるため、作業者の負担を軽減することができる。また、液体の加圧放出に必要な特殊な設備等を必要としないため、廉価で液体の加圧放出を行うことができる。【解決手段】少なくとも一箇所に液体注入、放出用の開口部4を設け、内部に液体2を充填した圧縮変形可能な収納体1を形成する。そして、自動車3の重量又は／及び駆動力を用いて収納体1の収縮方向に加圧することにより、収納体1内の液体2を加圧して放出する。【選択図】図１
2007016757.tif 000002
【特許請求の範囲】
【請求項１】
少なくとも一箇所に液体注入、放出用の開口部を設け、内部に液体を充填した圧縮変形可能な収納体を、自動車の重量又は／及び駆動力を用いて収納体の収縮方向に加圧することにより、収納体内の液体を加圧して放出することを特徴とする液体の加圧放出方法。
【請求項２】
収納体の収縮方向への加圧は、収納体に自動車を乗り上げて、自動車の重量によって収納体を加圧して行うことを特徴とする請求項１の液体の加圧放出方法。
【請求項３】
収納体の収縮方向への加圧は、収納体を一方向又は複数方向から自動車により直接押圧して行うことを特徴とする請求項１の液体の加圧放出方法。
【請求項４】
収納体の収縮方向への加圧は、収納体を支持する支持物を収納体の一端側に配置し、収納体を支持物側に押圧する方向に、一方向又は複数方向から自動車により直接押圧して行うことを特徴とする請求項１の液体の加圧放出方法。
【請求項５】
収納体の収縮方向への加圧は、収納体の複数方向面に加圧体を配置し、この加圧体を、自動車の駆動力で収納体の収縮方向に牽引することにより、収納体を収縮方向に押圧して行うことを特徴とする請求項１の液体の加圧放出方法。
【発明の詳細な説明】
【技術分野】
【０００１】
本発明は、収納体を自動車により加圧して、内部に充填した液体を放出する液体放出方法に関する。
【背景技術】
【０００２】
従来、液体を加圧して放出する方法として、特許文献１に示す如く、自動車の排気管にポンプを取り付け、内燃機関の排気を利用して河川の水を吸い上げて放出する方法や、種々の原動機により作動するポンプを用いて液体を加圧して放出することが行われている。
【０００３】
【特許文献１】特開２００３−２７８７００号公報
【発明の開示】
【発明が解決しようとする課題】
【０００４】
しかしながら、上記のように、自動車の排気管にポンプを取り付けたり、原動機により作動するポンプを用いる方法では、液体の加圧のために専用のポンプが必要となるし、このような専用のポンプを形成するために費用がかかるという問題点を有している。また、特許文献１に示す方法では、河川のない場所では、使用することができないという問題点がある。
【０００５】
そこで本発明は、上述の如き課題を解決しようとするものであって、河川のない場所でも使用でき、液体を加圧する手段としてポンプを不要とするものである。また、一般的な動力源である自動車を用いることにより、任意の場所で簡単な操作により高い圧力で液体を加圧して放出することができる廉価な液体の加圧放出方法を提案しようとするものである。
【課題を解決するための手段】
【０００６】
本発明は、上述の如き課題を解決するため、少なくとも一箇所に液体注入、放出用の開口部を設け、内部に液体を充填した圧縮変形可能な収納体を、自動車の重量又は／及び駆動力を用いて収納体の収縮方向に加圧することにより、収納体内の液体を加圧して放出するものである。
【０００７】
また、収納体の収縮方向への加圧は、収納体に自動車を乗り上げて、自動車の重量によって収納体を加圧して行うものであってもよい。
【０００８】
また、収納体の収縮方向への加圧は、収納体を一方向又は複数方向から自動車により直接押圧して行うものであってもよい。
【０００９】
収納体の収縮方向への加圧は、収納体を支持する支持物を収納体の一端側に配置し、収納体を支持物側に押圧する方向に、一方向又は複数方向から自動車により直接押圧して行うものであってもよい。
【００１０】
また、収納体の収縮方向への加圧は、収納体の複数方向面に加圧体を配置し、この加圧体を、自動車の駆動力で収納体の収縮方向に牽引することにより、収納体を収縮方向に押圧して行うものであってもよい。
【発明の効果】
【００１１】
本発明では、上述の如く構成したものであって、液体を充填する収納体を形成することによって、河川のない場所でも使用できる。また、液体の加圧手段として、一般的に存在する動力源である自動車を用いることによって、液体放出のためのポンプ等の特殊な施設や装備、場所を必要とせず、任意の場所で使用可能とする。また、簡単な操作で、自動車の動力や重量を利用して大きな圧力を生じさせることができるため、作業者の負担を軽減することができる。また、液体の加圧放出に必要な特殊な設備等を必要としないため、廉価で液体の加圧放出を行うことができる。
【実施例１】
【００１２】
以下、本発明の実施例１を、図１及び図２において説明すると、(１)は収納体である。この収納体(１)は、水密性を有し、内部に液体(２)を充填した状態で自動車(３)の重量又は／及び駆動力で加圧した場合に、圧縮変形が可能で、破損しないように、例えば防水布、金属、ゴム、樹脂等又はこれらを組み合わせることにより形成する。また、この収納体(１)には、少なくとも１個以上の開口部(４)を設け、この開口部(４)を介して液体(２)を内部に充填したり、液体(２)を放出したりする。放出に際しては、開口部(４)にホース(５)等を取り付けることが好ましい。これにより、液体(２)の放出方向を調整することが可能となる。
【００１３】
上記のように形成した収納体(１)に、図１に示す如く、自動車(３)の重量を利用して押圧する。すなわち、自動車(３)の重量に耐え得る板体(６)を、収納体(１)に乗せ、この板体(６)に自動車(３)を乗り上げることにより、自動車(３)の重量で板体(６)を介して収納体(１)を押圧して、収納体(１)内部に充填した液体(２)を加圧して、開口部(４)を介して液体(２)を放出する。
【００１４】
上記の如き構成とすることによって、一般的な自動車(３)の有する重量を利用して収納体(１)を押圧して、液体(２)を放出することが可能となるため、特殊な施設や装備、場所を必要とせず、任意の場所で使用可能であるし、廉価な使用が可能となる。また、自動車(３)の簡単な操作で収納体(１)への大きな押圧力を得ることができるため、放出作業をする者の作業負担を軽減することができる。また、液体(２)の放出までの作業工程が単純であるので、簡易、迅速に使用することができる。また非常時用に収納体(１)に液体(２)を常時収納しておき、火災等の緊急時の消火のために使用したり、断水時に備えることができる。また自動車(３)の洗車のために使用したり、庭や畑の散水のために使用することも可能となる。
【実施例２】
【００１５】
また、上記実施例１では自動車(３)の重量を用いて収納体(１)を押圧し、内部に充填した液体(２)を放出するものとしたが、本実施例においては、自動車(３)の駆動力を用いて収納体(１)を押圧して、液体(２)を放出するものである。この場合には、図２に示す如く、収納体(１)を支持するために、収納体(１)の一端側に強固な壁面(７)を配置する。そして、この状態で自動車(３)の駆動力を利用して一方向から押圧する。そうすると、壁面(７)と収納体(１)を接触させることにより、自動車(３)による圧力が逃げることなく収納体(１)に伝わり、収納体(１)が圧縮変形して内部に充填した液体(２)が加圧され、開口部(４)を介して液体(２)が外部に放出される。
【００１６】
本実施例では、収納体(１)にかかる自動車(３)の押圧力に耐え得る強固な壁面(７)を必要とするが、上記実施例１のような自動車(３)の重量に耐え得る板体(６)を必要とせず、また、この板体(６)に自動車(３)を乗せる運転技術も必要としないため、自動車(３)の簡易な操作で収納体(１)を押圧して、収納体(１)内部に充填した液体(２)を放出することが可能となる。
【実施例３】
【００１７】
また、上記実施例２では、収納体(１)を壁面(７)に接触させるものとしたが、本実施例では、壁面(７)を用いずに収納体(１)を押圧する。すなわち、複数の方向から複数台の自動車(３)によって収納体(１)を押圧して、内部に充填した液体(２)を加圧して放出する。本実施例では、図３に示す如く、収納体(１)を中心として対向方向に配置した２台の自動車(３)によって、収納体(１)を収縮方向に押圧し、これにより内部に充填した液体(２)を加圧して、開口部(４)を介して外部に放出する。
【００１８】
上記の如き構成とすることにより、本実施例では複数台の自動車(３)を用意する必要があるが、上記実施例２のような、収納体(１)にかかる自動車(３)の押圧力に耐え得る強固な壁面(７)を必要としない。従って、複数台の自動車(３)とこれらで収納体(１)を押圧するための一定の広さのある場所であれば、任意の場所で本実施例の方法によって収納体(１)を押圧して、内部に充填した液体(２)を放出することが可能となる。
【００１９】
なお、本実施例では、図３に示す如く、収納体(１)を中心として対向方向に配置した２台の自動車(３)によって収納体（１）を収縮方向に押圧しているが、収納体(１)を収縮方向に押圧できればよいため、他の異なる実施例では、一方の自動車(３)を動かさず、他方の自動車(３)で収納体(１)を押圧してもよい。この場合であっても、上記実施例２のような壁面(７)を必要としないため、任意の場所で収納体(１)の押圧をすることが可能となる。
【実施例４】
【００２０】
また、本実施例では、図４に示す如く、収納体(１)を蛇腹状に形成して、自動車(３)による押圧時に圧縮変形した際の形状が一定になるようにする。また、この収納体(１)の側面に加圧体(８)(１０)を配置し、自動車(３)での押圧による押圧力が、加圧体(８)(１０)と接触する収納体(１)の側面に均等にかかるように構成する。この加圧体(８)(１０)は、収納体(１)の側面に配置して、自動車(３)で押圧した場合でも、容易に破損しないように形成する。
【００２１】
そして、この加圧体(８)(１０)の外面(１１)(１２)を自動車(３)の駆動力によって押圧して、収納体(１)の内部に充填した液体(２)を加圧し、開口部(４)を介して外部に放出する。なお、図１から図３においては自動車(３)の前部で収納体(１)を押圧しているが、収納体(１)を押圧できればよいため、図４に示す如く、自動車(３)の後部によって収納体(１)を押圧してもよい。
【００２２】
上記実施例２及び３では、収納体(１)が圧縮変形した際の形状が一定ではなく、自動車(３)で押圧した際に、押圧部が不適当であると収納体(１)が圧力を受けていない方向へ変形し、内部の液体(２)に圧力が伝わらない場合があった。しかし、上記の如く、収納体(１)を蛇腹状に形成することにより、収納体(１)の形成が複雑となるが、自動車(３)による押圧時に収納体(１)が収縮方向に折り畳まれて、圧力が逃げることなく液体(２)に伝わる。また、収納体(１)が折り畳まれることにより、液体(２)が無駄なく放出できるものとなる。
【実施例５】
【００２３】
また、上記実施例２乃至４では、自動車(３)の駆動力を用いて、収納体(１)を直接押圧するものとしたが、本実施例においては、図５に示す如く、蛇腹状に形成した収納体(１)の対向する両面に加圧体(８)(１０)を配置するとともに、一方の加圧体(８)の外面(１１)にロープ(１３)の一端を係留し、この一方の加圧体(８)とは収納体(１)を介した側に配置した自動車(３)にロープ(１３)の他端を係留する。また、他方の加圧体(１０)の外面(１２)にロープ(１３)の一端を係留し、この他方の加圧体(１０)とは収納体(１)を介した側の自動車(３)にロープ(１３)の他端を係留する。
【００２４】
そして、図５に示す如く、収納体(１)の収縮方向に自動車(３)の駆動力を用いてロープ(１３)を牽引すると、この牽引によりロープ(１３)の加圧体(８)(１０)との係留部分が収納体(１)の収縮方向に力を受け、これにより加圧体(８)(１０)が収納体(１)を押圧して、収納体(１)の内部に充填した液体(２)が加圧され、開口部(４)を介して液体(２)が外部に放出される。
【００２５】
このとき、加圧体(８)(１０)の下部に、加圧体(８)(１０)の移動をスムーズにするために、回転体(１４)を配置する。これにより、自動車(３)でロープ(１３)を牽引した際に、地面との摩擦を軽減して加圧体(８)(１０)を収納体(１)の収縮方向へスムーズに移動させることができる。なお、この牽引は、収納体(１)を介して対向方向に配置した自動車(３)の双方を動かしてもよいし、一方の自動車(３)を動かさず、他方の自動車(３)を動かすことにより牽引してもよい。
【００２６】
上記の如く構成することによって、液体(２)を放出するためには収納体(１)以外に加圧体(８)(１０)やロープ(１３)を必要とする構成となる。しかし、本実施例では、上記実施例３及び４とは異なり、自動車(３)を収納体(１)と離反方向に移動させることにより、自動車(３)に係留したロープ(１３)を牽引して、加圧体(８)(１０)を介して収納体(１)を加圧するものである。従って、もしアクセル操作を誤って自動車(３)を加速しすぎた場合であっても、自動車(３)同士は離反するため、自動車(３)同士が衝突することはなく、運転者の安全を保ちながら液体(２)を放出することを可能とするものである。また、上記実施例２乃至４の如く収納体(１)を自動車(３)で直接押圧する必要はないため、自動車(３)に傷が付くこともない。
【図面の簡単な説明】
【００２７】
【図１】本発明の実施例１を示す側面図。
【図２】本発明の実施例２を示す側面図。
【図３】本発明の実施例３を示す側面図。
【図４】本発明の実施例４を示す側面図。
【図５】本発明の実施例５を示す側面図。
【符号の説明】
【００２８】
１  収納体
２  液体
３  自動車
４  開口部
８  加圧体
１０  加圧体
【図１】
2007016757.tif 000003
【図２】
2007016757.tif 000004
【図３】
2007016757.tif 000005
【図４】
2007016757.tif 000006
【図５】
2007016757.tif 000007